(57)【特許請求の範囲】
【請求項１】
薄く柔らかい防護材３及び防護材３の周囲概ね全てに亘って配されたバネ性のある線材４により形成された概四角形の防護板２が線材４を丸めることによって小さく収納できることを特徴とする台用シールド。
【請求項２】
防護板２が複数枚連結されていることを特徴とする請求項１に記載の台用シールド。
【請求項３】
３枚の防護板２が順に隣の防護板２と連結され、三面鏡の様に広げて置くことによって設置ができることを特徴とする請求項１〜２に記載の台用シールド。
【請求項４】
防護板２の周囲の少なくとも２辺に着脱可能な連結具を備えることを特徴とする請求項１〜３に記載の台用シールド。
【請求項５】
防護板２に配された線材４の長さを防護板２ごとにわずかに変え、収納時に防護板２を重ねて丸めても線材４が互いに干渉しにくくなることを特徴とする請求項１〜４に記載の台用シールド。
【請求項６】
防護材３の少なくとも一部分が概ね透明であることを特徴とする請求項１〜５に記載の台用シールド。
【請求項７】
防護材３の少なくとも一部分がウィルスや飛沫に対してのフィルター機能を備えることを特徴とする請求項１〜６に記載の台用シールド。
【発明の詳細な説明】
【技術分野】
【０００１】  この発明はテーブルや机上で使用する仕切りに関する。
【背景技術】
【０００２】  感染予防のためにテーブルや机の上に設置する仕切り板（今後台シールド１と呼ぶ）は、従来は台座の上にアクリル板などを立てていた。また、三面鏡の要領で広げて設置する携帯用もある。
【先行技術文献】
【０００３】
【特許文献】
【特許文献】実願２０２０―１８７７  実願２０２０―１８５３
【発明の概要】
【発明が解決しようとする課題】
【０００４】  新型コロナ感染下では、飛沫の曝露は互いに避けたいところである。しかし同行者と食事するテーブルや会議の席で、仕切りが用意されていないこともある。会場側に仕切りの準備がない場合は自ら持参して身を守りたいが、従来の仕切り板では重さや大きさの問題から、常時持ち歩くことは困難であった。【０００５】  本発明では使用時には十分な大きさがあり、軽く、小さく収納可能な携帯用の台用シールド１を提供する。
【課題を解決するための手段】
【０００６】  本発明の台用シールド１は、薄くて柔らかい防護材３の周囲に形状記憶合金または反発力のある線材４を配した、飛沫防止の為の防護板２により構成される。防護材３は、ウィルスの飛沫の通り抜けを減らすための布状の材料であり、透明ビニールやフィルター機能を持つマスク用の不織布、抗ウィルス性の生地などが材質として適している。防護材３は収納の状態では緩んでいるが、使用のため広げると線材４のバネ性によりピンと張られた状態を保つ。柔らかいため、周囲に配された線材４を丸める際に防護材３も一緒に動いて小さくまとめることが出来るので、この状態でポーチなどに入れて携帯し、使用時には広げて用いる。
【発明の効果】
【０００７】・軽い。
・小さく収納できて携帯しやすい。
・他人任せでなく自分の責任で感染予防できる。
・透明な防護材３の場合、同席者の顔も見えコミュニケイションを妨げない。
・組み合わせることで様々な形や大きさのテーブルに対応できる。
・健康に自信がない場合にも自分で携帯できるので遠慮なく使用できる。
・抗ウィルス性の薬品処理や素材を用いることでより安全性が高まる。
・廉価に製造できる。
【図面の簡単な説明】
【０００８】
【図１】（ａ）防護板２単体の正面図。（ｂ）実施例１の使用状態斜視図。
【図２】（ａ）実施例２の背面図。下半分は固定的連結、上半分は着脱可能に連結され防護板２間の隙間には覆い７が設けられている。（ｂ）（ａ）に示された台用シールド１を２つ、上下逆に組み合わせて数名用にセットした使用例の斜視図。３枚一組の台用シールド（い）（ろ）を図に示した。
【図３】実施例３の防護板２を枚数多く連ねた使用状態の斜視図。
【図４】（ａ）実施例４で横向きに連結した使用例の斜視図。（ｂ）実施例４で正面の防護板２のみを縦に、左右を横向きになるよう連結した使用例の斜視図。
【発明を実施するための形態】
【０００９】  概四角形に形成された防護材３の周囲に線材４を配して防護板２を構成する。線材４としては例えばステンレスの細い板バネは適している。樹脂製のバネや形状記憶合金なども使用できる。防護材３には薄くて柔らかく、曲げられても破れにくい物を用いる。マスクなどと同様のフィルター機能のある不織布、透明ビニール、抗菌布などは適している。防護板を単体、あるいは連結させて一つの台用シールド１を構成する。
【実施例１】
【００１０】  隣り合う防護板２を３枚、三面鏡のように連結する。広げると安定した囲いとなり、食事中の飛沫を防ぐことが出来る。［図１］（ｂ）に示すように、隣り合う防護板２の角度が広がりすぎないよう開閉調整具１０を付けておくとよい。広がりすぎないことに加えて、隣り合う防護板２の成す角度が小さ過ぎても安定しないので、広げたあとすぐに閉じてしまわないための簡単なロック機能も有効である。使用後は３枚を重ねてから線材４を丸め、小さくまとまったらその状態で固定して保管する。【００１１】  線材４は、［図１］（ａ）に示すように防護材３の周囲に設けられた縫い代トンネル１１に収めることができる。他に、数カ所を止めつける、別布を使用したパイピング、タブを周囲に配してその中を通す、線材４全体と防護材３を接着するなど様々な方法で定位置に配する。【００１２】  防護材３は概四角形であるが、反発力のある線材４を配する都合上、角はアールが取られる。線材４は反発力があり、３枚の防護板２が３面鏡のように広げられた際、それぞれが安定してまっすぐ立つ硬さを持ち、なおかつ、丸めることが出来る柔らかさを併せ持つ。硬さが足りない場合に小さい台座を取り付けても良い。【００１３】  防護板２の枚数が多いと線材４が干渉しあって収納時に丸めにくいという問題が生じる。しかし防護板２の周囲に配された線材４の長さを防護板２ごとにわずかに変えると、防護板２を重ねてから丸めても線材４が互いに干渉しにくく、小さくまとめる作業が容易になる。
また後述の実施例４のように着脱可能な連結具のみで連結されている場合は、防護板２を単体でそれぞれ丸めてから携帯できる。
【実施例２】
【００１４】  隣接の防護板２と接する辺の全体に沿って連結しない場合、連結の隙間をそのまま開けておかず、［図２］（ａ）のように着脱可能に連結した部分を裏面から覆い、飛沫を防ぐ。面ファスナー８は連結と覆い７を兼ねる。
３枚の防護板２が互いに接する辺の下半分だけで連結した台用シールド１を２つ、上下を逆にして組み合わせた例を［図２］（ｂ）に示した。
一つの台用シールド１の中で連結位置が上下順に互い違いになるように構成しても同様に連結できる。
【実施例３】  実施例３は着脱可能な連結方法だけを備えるものである。磁石９や面ファスナー８などを使って着脱可能に連結すると枚数の増減が自由である。固定的な連結はしないので、防護板２単体でも使用でき、例えば防護板２一枚をバスの座席ポケットに入れる、座席の枕の後方に固定紐などで装着する、などにより前の座席への飛沫を防止できる。
また逆に、［図３］に示すように、必要に応じて何枚でも連結できる。長く連結すると大人数の会議机でも有効に使用可能である。
【実施例４】  防護板２の周囲４辺に連結具５を設けておくと、防護板２を縦横自由な向きに何枚でも連結でき、利用シーンが広がる。［図４］（ａ）は横長に設置した例である。［図４］（ｂ）では、正面の防護板２は縦長にしてしっかり飛沫を防ぎ、左右は低くして圧迫感が減らしているがこういった組み合わせも状況に応じて可能である。
【符号の説明】
【００２３】１．台用シールド
２．防護板
３．防護材
４．線材
５．連結具
６．連結部
７．覆い
８．面ファスナー
９．磁石
１０．開閉調整具
１１．縫い代トンネル
１２．台用シールド（い）
１３．台用シールド（ろ）
【要約】      （修正有）【課題】必要時に応じて大きさや形を変えることができ、使用時は十分な大きさがあり、簡単に小さく収納できる台用シールドを提供する。【解決手段】本発明の台用シールドは、薄くて柔らかい防護材３の周囲に形状記憶合金または反発力のある線材４を配した、飛沫防止の為の防護板２により構成される。防護材３は、ウィルスの飛沫の通り抜けを減らすための布状の材料であり、透明ビニールやフィルター機能を持つマスク用の不織布、抗ウィルス性の生地などが材質として適している。防護材３は収納の状態では緩んでいるが、使用のため広げると線材４のバネ性によりピンと張られた状態を保つ。柔らかいため、周囲に配された線材４を丸める際に防護材３も一緒に動いて小さくまとめることが出来るので、この状態でポーチなどに入れて携帯し、使用時には広げて用いる。【選択図】図１【図１】
0006941716.tif 000002
【図２】
0006941716.tif 000003
【図３】
0006941716.tif 000004
【図４】
0006941716.tif 000005